【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
回転式噴霧器であって、
電気モータであって、前記電気モータは、固定子および永久磁石回転子を有し、前記永久磁石回転子は、回転力を出力するように構成されている、電気モータと、
垂直に設置されたシャフトであって、前記シャフトは、前記回転力によって回転させられるように構成されている、シャフトと、
１つ以上の磁気軸受であって、前記１つ以上の磁気軸受は、前記シャフトに無摩擦の半径方向および軸方向支持を提供するように構成されている、１つ以上の磁気軸受と、
前記シャフトの下側端に設置された回転円盤であって、前記回転円盤は、液体を微粒子の形態でスプレーするように構成されている、回転円盤と、
空気コネクタであって、前記空気コネクタは、前記シャフトと前記１つ以上の磁気軸受との間の１つ以上の間隙内へ流されるべき空気を受け取る、空気コネクタと
を備えている、回転式噴霧器。
【請求項２】
１つ以上の冷却フィンをさらに備え、前記１つ以上の冷却フィンは、送風機から前記固定子にわたって冷気を向ける、請求項１に記載の回転式噴霧器。
【請求項３】
前記冷気は、前記回転円盤と送給分配器との間の環状間隙を通して、前記回転式噴霧器の外部に排出される、請求項２に記載の回転式噴霧器。
【請求項４】
前記電気モータは、８００〜１１２５ｆｔ／秒の円盤周辺先端速度を生み出すように前記シャフトを回転させるように構成されている、請求項１に記載の回転式噴霧器。
【請求項５】
前記空気コネクタは、圧縮空気を受け取る、請求項１に記載の回転式噴霧器。
【請求項６】
前記固定子と熱連通している液体冷却ジャケットをさらに備えている、請求項１に記載の回転式噴霧器。
【請求項７】
１つ以上の摩擦バックアップ軸受をさらに備えている、請求項１に記載の回転式噴霧器。
【請求項８】
噴霧器システムであって、
調節可能外側コーンと、
固定された内側コーンであって、前記固定された内側コーンは、噴霧器を受け取るように構成されている、固定された内側コーンと、
チャンバと、
１つ以上の調節可能垂直部材であって、前記１つ以上の調節可能垂直部材の各々は、１つ以上の高さアクチュエータに連結され、前記１つ以上の高さアクチュエータは、前記調節可能外側コーンを動的に調節するように構成されている、１つ以上の調節可能垂直部材と
を備え、
前記調節可能外側コーンは、動的に調節されると、第１の速度を有する第１のガス流と、第２の速度を有する第２のガス流とを生み出し、前記第２の速度は、前記第１の速度と異なっている、噴霧器システム。
【請求項９】
前記１つ以上の高さアクチュエータのうちの少なくとも１つは、（ｉ）電気アクチュエータ、（ｉｉ）油圧アクチュエータ、（ｉｉｉ）空気圧アクチュエータ、および（ｉｖ）手動アクチュエータから成る群から選定されるアクチュエータである、請求項８に記載の噴霧器システム。
【請求項１０】
前記噴霧器は、永久磁石回転子を有する回転式噴霧器である、請求項８に記載の噴霧器システム。
【請求項１１】
前記噴霧器は、シャフトと、前記シャフトに無摩擦の半径方向および軸方向支持を提供するように構成された１つ以上の電磁軸受とを有する回転式噴霧器である、請求項８に記載の噴霧器システム。
【請求項１２】
１つ以上の半径方向旋回羽根をさらに備えている、請求項８に記載の噴霧器システム。
【請求項１３】
液体材料を噴霧する方法であって、
液体材料を回転式噴霧器に送給することであって、前記回転式噴霧器は、シャフトを回転させるように構成された電気モータを備えている、ことと、
前記回転式噴霧器を使用して、前記液体材料を噴霧される液滴の形態で出力することと、
前記噴霧される液滴をプロセスガス流を用いて循環させ、実質的に乾燥している粒子を産生することと、
アクチュエータと動作可能に連結された調節可能外側コーンを使用して、前記プロセスガス流の速度を動的に調節することと
を含む、方法。
【請求項１４】
前記電気モータは、８００〜１１２５ｆｔ／秒の円盤周辺先端速度を生み出すように前記シャフトを回転させるように構成されている、請求項１３に記載の方法。
【請求項１５】
前記回転式噴霧器は、１つ以上の磁気軸受を備えている、請求項１３に記載の方法。
【請求項１６】
前記回転式噴霧器は、永久磁石回転子を備えている、請求項１３に記載の方法。
【請求項１７】
前記１つ以上の磁気軸受のうちの少なくとも１つは、電磁軸受である、請求項１に記載の回転式噴霧器。
【請求項１８】
前記圧縮空気は、冷却された圧縮空気である、請求項５に記載の回転式噴霧器。
【請求項１９】
前記１つ以上の摩擦バックアップ軸受は、前記１つ以上の磁気軸受のうちの少なくとも１つが故障すると、前記シャフトの回転を妨げるように構成されている、請求項７に記載の回転式噴霧器。
【請求項２０】
前記１つ以上の磁気軸受のうちの少なくとも１つは、電磁軸受である、請求項１５に記載の方法。
【請求項２１】
前記電磁軸受は、前記シャフトに無摩擦の半径方向および軸方向支持を提供する、請求項２０に記載の方法。
【手続補正２】
【補正対象書類名】明細書
【補正対象項目名】００１５
【補正方法】変更
【補正の内容】
【００１５】
本発明のある側面では、調節可能外側コーンは、動的に調節され、第１の速度を有する第１のガス流と、第１の速度を上回る第２の速度を有する第２のガス蒸気とを生み出し得る。１つ以上の高さアクチュエータは、（ｉ）電気アクチュエータ、（ｉｉ）油圧アクチュエータ、（ｉｉｉ）空気圧アクチュエータ、（ｉｖ）手動アクチュエータ、および（ｖ）それらの組み合わせから成る群から選定されるアクチュエータを備え得る。噴霧器は、シャフトの無摩擦の半径方向および軸方向支持を提供するように可能にされる永久磁石回転子および／または１つ以上の電磁軸受を備えている、回転式噴霧器であり得る。
本発明は、例えば、以下を提供する。
（項目１）
回転式噴霧器であって、
固定子および永久磁石回転子を有する電気モータであって、前記電気モータは、回転力を出力するように可能にされる、電気モータと、
垂直に設置され、所望の長さを有するシャフトであって、前記シャフトは、前記回転力によって回転されることが可能である、シャフトと、
前記シャフトの無摩擦の半径方向および軸方向支持を可能にする１つ以上の磁気軸受と、
液体を微粒子の形態にスプレーするために、前記シャフトの下側端に設置された回転円盤と
を備えている、回転式噴霧器。
（項目２）
送風機から前記固定子にわたって冷気を向け、前記固定子によって放熱される熱を奪うための冷却フィンをさらに備えている、項目１に記載の回転式噴霧器。
（項目３）
前記冷気は、前記回転円盤と送給分配器との間の環状間隙を通して、前記回転式噴霧器の外部に排出される、項目２に記載の回転式噴霧器。
（項目４）
前記電気モータは、前記シャフトを回転させ、８００〜１１２５ｆｔ／秒の円盤周辺先端速度を生み出すように可能にされる、項目１に記載の回転式噴霧器。
（項目５）
前記シャフトと前記１つ以上の磁気軸受との間の間隙の中へ流されるべき空気を受け取るための空気コネクタをさらに備えている、項目１に記載の回転式噴霧器。
（項目６）
過剰電気熱を前記固定子から除去するための液体冷却ジャケットをさらに備えている、項目１に記載の回転式噴霧器。
（項目７）
前記シャフトの回転を妨害するように可能にされる摩擦バックアップ軸受をさらに備えている、項目１に記載の回転式噴霧器。
（項目８）
噴霧器システムであって、
調節可能外側コーンと、
噴霧器を受け取るように構成されている固定された内側コーンと、
チャンバと、
前記調節可能外側コーンを動的に調節するために、１つ以上の高さアクチュエータに連結されている１つ以上の調節可能垂直部材と
を備えている、噴霧器システム。
（項目９）
前記調節可能外側コーンは、第１の速度を有する第１のガス流と、前記第１の速度を上回る第２の速度を有する第２のガス蒸気とを生み出すように動的に調節されることが可能である、項目８に記載の噴霧器システム。
（項目１０）
前記１つ以上の高さアクチュエータは、（ｉ）電気アクチュエータ、（ｉｉ）油圧アクチュエータ、（ｉｉｉ）空気圧アクチュエータ、（ｉｖ）手動アクチュエータ、および（ｖ）それらの組み合わせから成る群から選定されるアクチュエータを備えている、項目８に記載の噴霧器システム。
（項目１１）
前記噴霧器は、永久磁石回転子を備えている回転式噴霧器である、項目８に記載の噴霧器システム。
（項目１２）
前記噴霧器は、シャフトと、前記シャフトの無摩擦の半径方向および軸方向支持を提供するように可能にされる１つ以上の電磁軸受とを備えている回転式噴霧器である、項目８に記載の噴霧器システム。
（項目１３）
１つ以上の半径方向旋回羽根をさらに備えている、項目８に記載の噴霧器システム。
（項目１４）
液体材料を噴霧する方法であって、
液体材料を回転式噴霧器に送給することであって、前記回転式噴霧器は、シャフトを回転させ、８００〜１１２５ｆｔ／秒の円盤周辺先端速度を生み出すように可能にされる電気モータを備えている、ことと、
前記回転式噴霧器を使用して、前記液体材料を噴霧される液滴の形態で出力することと、
前記噴霧される液滴をプロセスガスを用いて循環させ、実質的に乾燥している粒子を産生することと
を含む、方法。
（項目１５）
アクチュエータに連結された少なくとも１つの垂直部材を使用して、ガス流速度を動的に調節するステップをさらに含む、項目１４に記載の方法。
（項目１６）
前記回転式噴霧器は、前記シャフトの無摩擦の半径方向および軸方向支持を提供するように可能にされる１つ以上の電磁軸受を備えている、項目１４に記載の方法。
（項目１７）
前記回転式噴霧器は、永久磁石回転子を備えている、項目１４に記載の方法。